(57)【要約】【課題】主とする空調機の消費電力を必要以上に大きくすることなく、効率的に機器を冷却すること。【解決手段】床部が床面２と該床面２の上方に配置される二重床パネル３とにより二重床に形成された室内を空調する二重床の空間内に設置される二重床内設置型空調機であって、前記二重床パネルには前記室内に通じる複数の通風孔が形成されており、空調機本体１は蒸発器及び凝縮器を有する冷凍機と、前記蒸発器から発生する冷気を送風するファンとを有し、前記蒸発器からの冷気を、前記ファンを駆動することにより前記二重床内に吹き出させ、二重床パネル３に設けられた通風孔を介して必要箇所に送風する。【選択図】      図１
2004211909.tif 000002
【特許請求の範囲】
【請求項１】
床部が床面と該床面の上方に配置される二重床パネルとにより二重床に形成された室内を空調する前記二重床の空間内に設置される二重床内設置型空調機であって、
前記二重床パネルには前記室内に通じる複数の通風孔が形成されており、
空調機本体は蒸発器及び凝縮器を有する冷凍機と、前記蒸発器から発生する冷気を送風するファンとを有し、
前記蒸発器からの冷気を、前記ファンを駆動することにより前記二重床内に吹き出させ、前記二重床パネルに設けられた通風孔を介して必要箇所に送風することを特徴とする二重床内設置型空調機。
【請求項２】
床部が床面と該床面の上方に配置される二重床パネルとにより二重床に形成された室内を空調する前記二重床の空間内に設置される二重床内設置型空調機であって、
前記二重床パネルには前記室内に通じる複数の通風孔が形成されており、
空調機本体は蒸発器及び凝縮器を有する冷凍機と、前記蒸発器から発生する冷気を送風するファンとを有し、
前記蒸発器の吹き出し口から前記二重床パネルにおける冷却すべき箇所に設けられた所定の通風孔近傍までダクトを配設し、該ダクトを通過して前記蒸発器の吹き出し口から供給される冷風を前記所定の通風孔を介して室内に送風することを特徴とする二重床内設置型空調機。
【請求項３】
床部が床面と該床面の上方に配置される二重床パネルとにより二重床に形成された室内を空調する前記二重床の空間内に設置される二重床内設置型空調機であって、
前記二重床パネルには前記室内に通じる複数の通風孔が形成されており、
空調機本体は蒸発器及び凝縮器を有する冷凍機と、前記蒸発器から発生する冷気を送風するファンとを有し、
前記蒸発器の吹き出し口から前記二重床パネルを貫通して室内の冷却すべき箇所近傍までダクトを配設し、該ダクトを介して前記蒸発器の吹き出し口から供給される冷風を前記室内の冷却すべき箇所に送風することを特徴とする二重床内設置型空調機。
【請求項４】
前記空調機本体は、前記二重床内の床面に設置され、前記凝縮器の空気出入口と該空気出入口専用に前記二重床パネルに設けられた通風孔とを伸縮可能な蛇腹ダクトにより接合したことを特徴とする請求項１乃至３のいずれかに記載の二重床内設置型空調機。
【請求項５】
前記空調機本体の上部には前記凝縮器の空気出入口を有し、該空気出入口と該空気出入口専用に前記二重床パネルに設けられた通風孔とが近接するように前記二重床パネルの裏面に固設され、かつ前記空調機本体は、その下部に前記床面に着床するように伸縮自在の脚部を有し、前記空調機本体の下面と床面の距離に応じて前記脚部を伸縮させて該脚部の長さを調整するようにしたことを特徴とする請求項１乃至３のいずれかに記載の二重床内設置型空調機。
【請求項６】
床部が床面と該床面の上方に配置される二重床パネルとにより二重床に形成された室内を空調する前記二重床の空間内に設置される二重床内設置型空調機の使用方法において、
前記二重床パネルに複数の通風孔を設け、該通風孔上に通信機器等の機器が収納されたラックを配置し、
前記空調機を稼動させ、前記二重床内において前記ラックのうち発熱の大きいラックが配置された床部に向けて冷風を吹き出させることを特徴とする二重床内設置型空調機の使用方法。
【請求項７】
床部が床面と該床面の上方に配置される二重床パネルとにより二重床に形成された室内を空調する前記二重床の空間内に設置される二重床内設置型空調機の使用方法において、
前記二重床パネルに複数の通風孔を設け、該通風孔上に通信機器等の機器が収納されたラックを配置し、かつ前記空調機における冷風の吹き出し口から発熱の大きいラックが位置する二重床パネルの通風孔の下部までダクトを配設するとともに、
前記空調機を稼動させ、前記ダクトを介して前記発熱の大きいラックが位置する通風孔から該ラックに冷風を吹き出させることを特徴とする二重床内設置型空調機の使用方法。
【請求項８】
床部が床面と該床面の上方に配置される二重床パネルとにより二重床に形成された室内を空調する前記二重床の空間内に設置される二重床内設置型空調機の使用方法において、
前記二重床パネルに複数の通風孔を設け、該通風孔上に通信機器等の機器が収納されたラックを配置し、かつ前記空調機における冷風の吹き出し口から発熱の大きいラックが位置する二重床パネルの通風孔を貫通して該発熱の大きいラックの特定の部位までダクトを配設するとともに、
前記空調機を稼動させ、前記ダクトを介して前記発熱の大きいラックの特定の部位に冷風を吹き出させることを特徴とする二重床内設置型空調機の使用方法。
【発明の詳細な説明】
【０００１】
【発明の属する技術分野】
本発明は、電算機室等を空調するのに好適な二重床内設置型空調機及び二重床内設置型空調機の使用方法に関する。
【０００２】
【従来の技術】
情報処理技術及び通信技術の発達に伴い、ＯＡ機器や通信装置等は、高集約化され、その結果、それらの機器周囲は高発熱化の傾向にある。これらの機器の運用温度は比較的低く設定されているため、高温の空気を吸い込むことによりシステム停止等を引き起こす可能性が有る。
そのため、これらの機器を空調するのに、上記機器を電算機室内に設置されたラックに収容し、二重床内に設置された空調機により二重床からの吹き出しによって効率良く、上記機器に冷風を送り込むような空調方式が採用されている（例えば、特許文献１、２参照。）。
【０００３】
【特許文献１】
特開平６−１５９７８５号公報
【特許文献２】
特開平１０−１０６０９２号公報
【０００４】
【発明が解決しようとする課題】
従来、ＯＡ機器や通信機器の各種機器に適用されていた従来の空調方式では、空調機から遠いラックや、二重床内で空調機からの気流が遮られた下流にあるラックには冷却に必要な量の冷気が供給されずに高温となってしまうという問題が有った。
また、上記各種機器の発熱が均一でない場合に、最も発熱の高い機器を適温まで冷却するために上記機器が設置されている室内全体の温度を下げることが必要となり、空調機の消費電力が必要以上に大きくなってしまうという問題も有った。
【０００５】
本発明はこのような事情に鑑みてなされたものであり、空調機から送出される冷気が届きにくい場合や、ＯＡ機器や通信機器等の各種機器からの発熱が均一でない場合においても、主とする空調機の消費電力を必要以上に大きくすることなく、効率的に機器を冷却することができる二重床内設置型空調機及び二重床内設置型空調機の使用方法を提供することを目的とする。
【０００６】
【課題を解決するための手段】
上記目的を達成するために請求項１に記載の発明は、床部が床面と該床面の上方に配置される二重床パネルとにより二重床に形成された室内を空調する前記二重床の空間内に設置される二重床内設置型空調機であって、前記二重床パネルには前記室内に通じる複数の通風孔が形成されており、空調機本体は蒸発器及び凝縮器を有する冷凍機と、前記蒸発器から発生する冷気を送風するファンとを有し、  前記蒸発器からの冷気を、前記ファンを駆動することにより前記二重床内に吹き出させ、前記二重床パネルに設けられた通風孔を介して必要箇所に送風することを特徴とする。
【０００７】
また、請求項２に記載の発明は、床部が床面と該床面の上方に配置される二重床パネルとにより二重床に形成された室内を空調する前記二重床の空間内に設置される二重床内設置型空調機であって、前記二重床パネルには前記室内に通じる複数の通風孔が形成されており、空調機本体は蒸発器及び凝縮器を有する冷凍機と、前記蒸発器から発生する冷気を送風するファンとを有し、前記蒸発器の吹き出し口から前記二重床パネルにおける冷却すべき箇所に設けられた所定の通風孔近傍までダクトを配設し、該ダクトを通過して前記蒸発器の吹き出し口から供給される冷風を前記所定の通風孔を介して室内に送風することを特徴とする。
【０００８】
また、請求項３に記載の発明は、床部が床面と該床面の上方に配置される二重床パネルとにより二重床に形成された室内を空調する前記二重床の空間内に設置される二重床内設置型空調機であって、前記二重床パネルには前記室内に通じる複数の通風孔が形成されており、空調機本体は蒸発器及び凝縮器を有する冷凍機と、前記蒸発器から発生する冷気を送風するファンとを有し、前記蒸発器の吹き出し口から前記二重床パネルを貫通して室内の冷却すべき箇所近傍までダクトを配設し、該ダクトを介して前記蒸発器の吹き出し口から供給される冷風を前記室内の冷却すべき箇所に送風することを特徴とする。
【０００９】
また、請求項４に記載の発明は、請求項１乃至３のいずれかに記載の二重床内設置型空調機において、前記空調機本体は、前記二重床内の床面に設置され、前記凝縮器の空気出入口と該空気出入口専用に前記二重床パネルに設けられた通風孔とを伸縮可能な蛇腹ダクトにより接合したことを特徴とする。
【００１０】
また、請求項５に記載の発明は、請求項１乃至３のいずれかに記載の二重床内設置型空調機において、前記空調機本体の上部には前記凝縮器の空気出入口を有し、該空気出入口と該空気出入口専用に前記二重床パネルに設けられた通風孔とが近接するように前記二重床パネルの裏面に固設され、かつ前記空調機本体は、その下部に前記床面に着床するように伸縮自在の脚部を有し、前記空調機本体の下面と床面の距離に応じて前記脚部を伸縮させて該脚部の長さを調整するようにしたことを特徴とする。
【００１１】
また、請求項６に記載の発明は、床部が床面と該床面の上方に配置される二重床パネルとにより二重床に形成された室内を空調する前記二重床の空間内に設置される二重床内設置型空調機の使用方法において、前記二重床パネルに複数の通風孔を設け、該通風孔上に通信機器等の機器が収納されたラックを配置し、前記空調機を稼動させ、前記二重床内において前記ラックのうち発熱の大きいラックが配置された床部に向けて冷風を吹き出させることを特徴とする。
【００１２】
また、請求項７に記載の発明は、床部が床面と該床面の上方に配置される二重床パネルとにより二重床に形成された室内を空調する前記二重床の空間内に設置される二重床内設置型空調機の使用方法において、前記二重床パネルに複数の通風孔を設け、該通風孔上に通信機器等の機器が収納されたラックを配置し、かつ前記空調機における冷風の吹き出し口から発熱の大きいラックが位置する二重床パネルの通風孔の下部までダクトを配設するとともに、前記空調機を稼動させ、前記ダクトを介して前記発熱の大きいラックが位置する通風孔から該ラックに冷風を吹き出させることを特徴とする。
【００１３】
また、請求項８に記載の発明は、床部が床面と該床面の上方に配置される二重床パネルとにより二重床に形成された室内を空調する前記二重床の空間内に設置される二重床内設置型空調機の使用方法において、前記二重床パネルに複数の通風孔を設け、該通風孔上に通信機器等の機器が収納されたラックを配置し、かつ前記空調機における冷風の吹き出し口から発熱の大きいラックが位置する二重床パネルの通風孔を貫通して該発熱の大きいラックの特定の部位までダクトを配設するとともに、前記空調機を稼動させ、前記ダクトを介して前記発熱の大きいラックの特定の部位に冷風を吹き出させることを特徴とする。
【００１４】
【発明の実施の形態】
以下、本発明の実施形態を、図面を参照して詳細に説明する。本発明の第１実施形態に係る二重床内設置型空調機の構成を図1及び図２に示す。図１は二重床内設置型空調機の外観構成を示し、図２は二重床内設置型空調機の平面図（図２（Ａ））、正面図（図２（Ｂ））及び側面図（図２（Ｃ））をそれぞれ、示している。
本発明の第１の実施形態に係る二重床内設置型空調機は、蒸発器、圧縮機及び凝縮器を有する冷凍機（図示せず）と、蒸発器から発生する冷気を送風するファン（図示せず）とを有する空調機本体１と、蛇腹ダクト１２、１４と、空調機本体１を床面２に設置するための脚部１０とを有している。
【００１５】
また、二重床パネル３には空調機本体１の設置位置に対向して冷却用空気を取り入れるための複数の空気孔３ａと、空調機本体１内の圧縮機から吐出された高温ガスを冷却することにより発生する温風を排出する排出孔３ｂが設けられている。
空調機本体１の上面に設けられた凝縮器側の空気取入口（図示せず）と前記二重床パネルに設けられた空気孔３ａとが伸縮可能な蛇腹ダクト１４を介して連通し、かつ凝縮器側の温風排出口（図示せず）と前記二重床パネルに設けられた排出孔３ｂとが蛇腹ダクト１２を介して連通するように蛇腹ダクト１２、１４の一端が空調機本体１の上面（凝縮器側）に、また他端が二重床パネルの裏面側に接合された状態で空調機本体１は脚部１０を介して床面２上に設置されている。
【００１６】
空調機本体１において蒸発器が収容されている側面には蒸発器の空気取入口４と、蒸発器の吹出口５とを有している。蒸発器の空気取入口４は図示してないダクトを介して二重床外の低温の空気を取り入れるようにもなっている。
二重床パネル３には通風孔（図示せず）が設けられており、該通風孔上の室内には通信機器等の機器が収容されたラックが設置されている。
【００１７】
上記構成からなる二重床内設置型空調機では、空調機本体1内の蒸発器からの冷気を、ファンを駆動することにより二重床内に吹き出させる。二重床の二重床パネル３に設けられた通風孔を介して冷風を室内に供給することにより室内に設置されたラック内に収容された通信機器等の機器が冷却される。
また、空調機本体１内の圧縮機から吐出された高温ガスを冷却することにより発生する凝縮機からの温風は排出孔３ｂを介して室内に排出される。
【００１８】
本発明の第１の実施形態に係る二重床内設置型空調機では二重床内に設置される空調機本体の凝縮器への空気の取り入れ及び凝縮器より二重床外への温風の排出を、蛇腹ダクトを介して行うようにしたので、二重床の高さに対応して空調機本体を設置することができる。
また、本発明の第１の実施形態に係る二重床内設置型空調機では、蒸発器の空気取入口４に二重床外の低温空気を取り入れるようにしたので、二重床内の圧力を高めることができ、室内に設置された機器の冷却効率を高めることができる。
【００１９】
次に本発明の第２の実施形態に係る二重床内設置型空調機の構成を図３及び図４に示す。図３は二重床内設置型空調機の外観構成を示し、図４は二重床内設置型空調機の平面図（図４（Ａ））、正面図（図４（Ｂ））及び側面図（図４（Ｃ））をそれぞれ、示している。
【００２０】
本発明の第１の実施形態に係る二重床内設置型空調機は、蒸発器、圧縮機及び凝縮器を有する冷凍機（図示せず）と、蒸発器から発生する冷気を送風するファン（図示せず）とを有する空調機本体１と、空調機本体１を床面２に着床させるための伸縮自在な脚部２０とを有している。
【００２１】
また、二重床パネル３には第１実施形態と同様に空調機本体１の設置位置に対向して冷却用空気を取り入れるための複数の空気孔３ａと、空調機本体１内の圧縮機から吐出された高温ガスを冷却することにより発生する温風を排出する排出孔３ｂが設けられている。
【００２２】
空調機本体１の上部には凝縮器の空気出入口を有し、該空気出入口と該空気出入口専用に二重床パネル３に設けられた通風孔としての空気孔３ａ及び排出孔３ｂとが近接するように空調機本体１は、二重床パネル３の裏面に固設され、かつ空調機本体１は、その下部に有する伸縮自在の脚部２０を伸縮させて床面２に着床するように空調機本体１の下面と床面２の距離に応じて脚部２０の長さを調整するようになっている。
尚、本実施形態では、空調機本体１の下部に伸縮自在の脚部２０を設け、空調機本体１を床面２上に補助的に支持するようにして二重床パネル３の負担を軽減を図るようにしているが、空調機本体１を二重床パネル３の裏面に固設した場合に二重床パネル３に過度の負荷がかからない場合には脚部２０は不要である。
上記以外の構成は第１実施形態に係る二重床内設置型空調機と同様であるので重複する説明は省略する。
【００２３】
次に、本発明の二重床内設置型空調機の使用方法について図５乃至図７を参照して説明する。図５は本発明に係る二重床内設置型空調機の使用方法の第１実施形態について示している。同図に示すように、本実施形態では、床部が床面２と該床面２の上方に配置される二重床パネル３とにより二重床に形成された室内を空調する二重床内設置型空調機１Ａを二重床の空間６内に設置し、二重床パネル３に複数の通風孔７−１、７−２、…を設け、これらの通風孔上の室内に通信機器等の機器が収納されたラック３０−１、３０−２、…を配置し、空調機１を稼動させ、二重床内の空間６においてラック３０−１、３０−２、…のうち発熱の大きいラック、例えば、３０−３、３０−４が配置された床部（ラック３０−３、３０−４の下部）に向けて冷風を吹き出させる。
【００２４】
本実施形態によれば、通風孔７−３、７−４を介して発熱の大きいラック３０−３、３０−４に冷風が供給されるので、これらのラック３０−３、３０−４に収納された機器が重点的に冷却される。
【００２５】
次に、本発明に係る二重床内設置型空調機の使用方法の第２実施形態を図６に示す。本実施形態が図５に示した第１実施形態と異なるのは、室内に配置された複数のラックのうち特定のラックの下部に直接、冷風を供給するようにした点である。
【００２６】
同図に示すように、本実施形態では、床部が床面２と該床面２の上方に配置される二重床パネル３とにより二重床に形成された室内を空調する二重床内設置型空調機１Ａを二重床の空間６内に設置し、二重床パネル３に複数の通風孔７−１、７−２、…を設け、これらの通風孔上に通信機器等の機器が収納されたラック３０−１、３０−２、…を配置し、かつ二重床内設置型空調機１における冷風の吹き出し口から発熱の大きいラック、例えば、ラック３０−３が位置する二重床パネル３の通風孔７−３の下部までダクト８を配設するとともに、二重床内設置型空調機１Ａを稼動させ、ダクト８を介して発熱の大きいラック３０−３が位置する通風孔７−３からラック３０−３に冷風を吹き出させる。
【００２７】
本実施形態によれば、ダクト８を介して二重床内設置型空調機１Ａにおける冷風の吹き出し口から発熱の大きいラック３０−３が位置する通風孔７−３からラック３０−３に直接、冷風を供給するようにしたので、発熱の大きい特定のラックに収納された機器を重点的に冷却することができる。
【００２８】
次に、本発明に係る二重床内設置型空調機の使用方法の第３実施形態を図７に示す。本実施形態が図５に示した第１実施形態と異なるのは、発熱の大きいラックの特定の部位に直接、冷風を供給するようにした点である。
【００２９】
同図に示すように、本実施形態では、床部が床面２と該床面２の上方に配置される二重床パネル３とにより二重床に形成された室内を空調する二重床内設置型空調機１を二重床の空間６内に設置し、二重床パネル３に複数の通風孔７−１、７−２、…を設け、これらの通風孔上に通信機器等の機器が収納されたラック３０−１、３０−２、…を配置し、かつ二重床内設置型空調機１Ａにおける冷風の吹き出し口から発熱の大きいラック、例えば、ラック３０−３が位置する二重床パネル３の通風孔７−３を貫通して該発熱の大きいラック３０−３の特定の部位、すなわち、ラック３０−３における発熱の大きい機器が位置する箇所Ｐまでダクト９を配設する。
【００３０】
この状態で空調機１を稼動させ、ダクト９を介して発熱の大きいラック３０−３の特定の部位に冷風を吹き出させる。
本実施形態によれば、二重床内設置型空調機１Ａにおける冷風の吹き出し口から発熱の大きいラック３３０−３が位置する二重床パネル３の通風孔７−３を貫通して該発熱の大きいラック３０−３の特定の部位まで配設されたダクト９を介して上記特定部位に冷風を供給するようにしたので、発熱の大きい機器について重点的に冷却をすることができる。
【００３１】
【発明の効果】
本発明によれば、二重床内の空間に冷凍機及びファンを有する空調機を設置し、冷凍機を構成する蒸発器からの冷風を二重床内に吹き出させ、二重床パネルに設けられた通風孔を介して二重床パネル上に設置された冷却すべきラックに供給するか、または、空調機の冷風吹き出し口から冷却すべき特定の箇所までダクトを配設し、該ダクトを介して冷風を供給するようにしたので、空調機から送出される冷気が届きにくい場合や、ＯＡ機器や通信機器等の各種機器からの発熱が均一でない場合においても、主とする空調機の消費電力を必要以上に大きくすることなく、効率的に機器を冷却することができる。
【図面の簡単な説明】
【図１】本発明の第１の実施形態に係る二重床内設置型空調機の構成を示す図。
【図２】図１に示した二重床内設置型空調機の平面図（図２（Ａ））、正面図（図２（Ｂ））及び側面図（図２（Ｃ））。
【図３】本発明の第２の実施形態に係る二重床内設置型空調機の構成を示す図。
【図４】図３に示した二重床内設置型空調機の平面図（図４（Ａ））、正面図（図４（Ｂ））及び側面図（図４（Ｃ））。
【図５】本発明に係る二重床内設置型空調機の使用方法の第1実施形態を示す図。
【図６】本発明に係る二重床内設置型空調機の使用方法の第２実施形態を示す図。
【図７】本発明に係る二重床内設置型空調機の使用方法の第３実施形態を示す図。
【符号の説明】
１…空調機本体、１Ａ…二重床内設置型空調機、２…床面、３…二重床パネル、３ａ…空気孔、３ｂ…排出孔、４…空気取入口、５…吹出口、６…二重床内の空間、７−１〜７−４…通風孔、８、９…ダクト、１０、２０…脚部、１２、１４…蛇腹ダクト、３０−１〜３０−４…ラック
【図１】
2004211909.tif 000003
【図２】
2004211909.tif 000004
【図３】
2004211909.tif 000005
【図４】
2004211909.tif 000006
【図５】
2004211909.tif 000007
【図６】
2004211909.tif 000008
【図７】
2004211909.tif 000009